(57)【要約】【課題】従来型の入力用タッチペンでは行うことができなかったピンチアウト（拡大）操作、及びピンチイン（縮小）操作も行うことができ、しかもピンチアウト（拡大）操作、及びピンチイン（縮小）操作において画面の大きさを自由に調整することができる入力用タッチペンを提供する。【解決手段】一端が開閉自在に固定された一対のタッチペン本体２と、タッチペン本体２の先端に設置されたペン先部材３と、一対のタッチペン本体２の其々に設置したリング部材４を備える入力用タッチペン１とした。【選択図】図１
2018032307.tif 000002
【特許請求の範囲】
【請求項１】
タブレット端末やスマートフォン等の液晶画面に入力する際に使用する入力用タッチペンであって、
一端が開閉自在に固定された一対のタッチペン本体と、
前記タッチペン本体の先端に設置されたペン先部材と、
前記一対のタッチペン本体の其々に設置したリング部材を備えることを特徴とする入力用タッチペン。
【請求項２】
前記リング部材は、前記タッチペン本体の一方側に前記タッチペン本体と略平行向きに設置された親指用リング部材と、
前記タッチペン本体の他方側に前記タッチペン本体と略直角向きに設置された親指以外用リング部材であることを特徴とする請求項１に記載の入力用タッチペン。
【請求項３】
前記ペン先部材は、空洞を有する導電性ゴムからなることを特徴とする請求項１または請求項２に記載の入力用タッチペン。
【発明の詳細な説明】
【技術分野】
【０００１】
本発明は、タブレット端末やスマートフォン等の液晶画面に入力する際に使用する入力用タッチペンに関する。さらに言えば、従来型の入力用タッチペンでは行うことができなかったピンチアウト（拡大）操作、及びピンチイン（縮小）操作についても行うことができる入力用タッチペンに関する。
【背景技術】
【０００２】
タブレット端末やスマートフォン等の液晶画面に、文字等を入力しようとする際、液晶画面に表示されるキーボードは非常に細かく、指を使って文字を入力しようとするとミスタイプが増えてしまうため、非常に細かい液晶画面に表示されるキーボードのボタンを間違いなく押せるように入力用タッチペンが開発された。入力用タッチペンを使用すれば、タブレット端末やスマートフォン等の液晶画面へ文字や絵を書くことによる「手書き入力」をする場合や、ネイルを楽しんでいるような爪の長い女性等が、快適にタブレット端末やスマートフォン等の液晶画面に入力できるという利点もある。
【０００３】
タブレット端末やスマートフォン等の液晶画面に入力する際の操作として、タップ操作（指でタッチスクリーンを軽く１回たたくこと）、ロングタップ操作（指でタッチスクリーンを押さえた状態のまま、しばらく指を離さないこと）、フリック操作（タッチスクリーンに指で触れてスライドさせること「スワイプ」とも言われる）、ドラッグ操作（タッチスクリーンに指で触れたままスライドさせて、任意の位置で離すこと）、ピンチアウト操作、及びピンチイン操作（ピンチアウト、及びピンチインとは、タッチスクリーンを２本の指で摘むように動かし、画面を拡大し、あるいは縮小する操作のこと）等が一般的である。
【０００４】
この中でピンチアウト操作、及びピンチイン操作については、従来型の入力用タッチペンでは行うことができない。要するに、ピンチアウト操作、及びピンチイン操作を行う際は、入力用タッチペンを使用せず普通に指を使って行うか、液晶画面が手垢や指紋等で汚れるのが嫌な場合は、裏技的には、同じ箇所を素早く二回連続してタップ（ピンチアウト操作）を行い、もう一度同じ操作をする（ピンチイン操作）を行うのであるが、液晶画面での文字等の大きさを自由に調整することはできなかった。
【０００５】
特許文献１には、従来の操作方法であるタップやタッチ、ドラッグ、フリックといった操作のみならず、ピンチアウト、ピンチインといったマルチタッチ操作（二点以上の接触を同時に検知）も可能とする入力ペンが開示されている。即ち、一対の導電性のアームで構成されるペン本体と、各アームの一端同士を連結する連結部と、各アームの他端に導電性弾性体からなるペン先からなり、連結部にペン先同士を離反する方向に付勢する付勢手段を備えた入力ペンが開示されている。
【先行技術文献】
【特許文献】
【０００６】
【特許文献１】特開２０１２−２５６１３２号公報
【発明の概要】
【発明が解決しようとする課題】
【０００７】
特許文献１に係る入力ペン（特許文献１：発明の名称）は、一対の導電性のアームで構成されるペン本体と、各アームの一端同士を連結する連結部と、各アームの他端に導電性弾性体からなるペン先からなり、連結部にペン先同士を離反する方向に付勢する付勢手段を備えているので、従来の操作方法であるタップやタッチ、ドラッグ、フリックといった操作のみならず、ピンチアウト、ピンチインといったマルチタッチ操作も可能となるものの、その操作性は連結部に設置した付勢手段（たとえば、板バネ等の弾性力）に依存してしまうという欠点がある。要するに、操作する人が欲しているような、丁度良い大きさに画面を拡大したり、縮小することが難しく、たとえば、必要以上に大きくなってしまったりして、操作精度が不十分であり、（操作性に問題があり）、液晶画面での文字等の大きさをより繊細に調整することができないため好ましくない。
【０００８】
本発明の目的は、従来型の入力用タッチペンでは行うことができなかったピンチアウト（拡大）操作、及びピンチイン（縮小）操作も行うことができ、しかもピンチアウト（拡大）操作、及びピンチイン（縮小）操作において画面の大きさを自由に調整することができる入力用タッチペンを提供することにある。
【課題を解決するための手段】
【０００９】
上記課題を解決するために、請求項１に記載された発明は、タブレット端末やスマートフォン等の液晶画面に入力する際に使用する入力用タッチペンであって、一端が開閉自在に固定された一対のタッチペン本体と、前記タッチペン本体の先端に設置されたペン先部材と、前記一対のタッチペン本体の其々に設置したリング部材を備えることを特徴とするものである。
【００１０】
請求項２に記載された発明は、請求項１に記載された発明において、前記リング部材は、前記タッチペン本体の一方側に前記タッチペン本体と略平行向きに設置された親指用リング部材と、前記タッチペン本体の他方側に前記タッチペン本体と略直角向きに設置された親指以外用リング部材であることを特徴とするものである。
【００１１】
請求項３に記載された発明は、請求項１または請求項２に記載された発明において、前記ペン先部材は、空洞を有する導電性ゴムからなることを特徴とするものである。
【発明の効果】
【００１２】
請求項１に記載の入力用タッチペンは、開閉自在に設置された一対のタッチペン本体と、前記タッチペン本体の先端に設置されたペン先部材からなり、さらに、前記一対のタッチペン本体の其々にリング部材を備えているので、タッチペン本体に備えたリング部材に指を挿入して、ピンチアウト（拡大）操作、及びピンチイン（縮小）操作をすることができるので、画面の大きさを自由に調整することができるようになった。
【００１３】
請求項２に記載の入力用タッチペンのリング部材は、一対のタッチペン本体の一方側にタッチペン本体と略平行向きに設置された親指用リング部材と、タッチペン本体の他方側にタッチペン本体と略直角向きに設置された親指以外用リング部材であるので、丁度、箸を持つような位置に親指と、人差し指、または中指（または薬指）を固定することができる。これにより、ピンチアウト（拡大）操作、及びピンチイン（縮小）操作をする際、より繊細な操作をすることができるようになった。
【００１４】
請求項３に記載の入力用タッチペンのペン先部材は、空洞を有する導電性ゴムから構成されているので、導電性ゴム自体が弾力を持っているため柔らかく、しかも、空洞を有しているため、液晶画面との接地面積を、タッチペン本体の断面積と同じか、より大きくすることができる。これにより、液晶画面の表面保護のためにフィルムを貼ったタブレット端末やスマートフォン等であっても操作に対する反応性が良い。
【図面の簡単な説明】
【００１５】
【図１】本発明に係る入力用タッチペンの全体図（閉じた状態（ａ）、開いた状態（ｂ）：右利き用）である。
【図２】入力用タッチペンの使用状態を説明するための図である。
【発明を実施するための形態】
【００１６】
＜入力用タッチペンの構造＞
以下、本発明に係る入力用タッチペン１の一実施形態について、図１〜図２に基づいて詳細に説明する。図１は、本発明に係る入力用タッチペン１の全体図（閉じた状態（ａ）、開いた状態（ｂ）：右利き用）である。本発明に係る入力用タッチペン１は、端的に言えば、図１（ａ）に記載したような閉じた状態から、図１（ｂ）に記載したような開いた状態にすることで、ピンチアウト（拡大）操作を行い、図１（ｂ）に記載したような開いた状態から、図１（ａ）に記載したような閉じた状態にすることでピンチイン（縮小）操作を行うものである。
【００１７】
図１に記載したように、本発明に係る入力用タッチペン１は、端同士が回動自在に固定されることで開閉するように構成された一対のタッチペン本体２と、タッチペン本体２の先端部（端同士が回動自在に固定されていない側）に設置された、導電性を有するペン先部材３から構成されている。そして、一対のタッチペン本体２の其々にリング部材４が設置されている。尚、タッチペン本体２自体も導電性材料から構成されている。
【００１８】
入力用タッチペン１のタッチペン本体２の先端部に設置されたペン先部材３は、空洞を有する導電性ゴム７から構成されており、一対のタッチペン本体２の其々に設置されたリング部材４は、親指用リング部材５と、親指以外用リング部材６から構成されている。親指以外用リング部材６は、タッチペン本体２に１個設置されているだけでは無く、複数個（最大で４個）設置されていても良い。図１においては、親指以外用リング部材６は、２個設置されている。親指用リング部材５は、一対のタッチペン本体２の一方側にタッチペン本体２の長軸方向と略平行向きになるように設置されている。そして、親指以外指用リング部材６は、一対のタッチペン本体２の（親指用リング部材５が設置されていない）他方側にタッチペン本体２の長軸方向と略直角向きになるように設置されている。
【００１９】
本発明に係る入力用タッチペン１のタッチペン本体２の長さは１００ｍｍ〜１５０ｍｍ程度（φ３ｍｍ〜φ５ｍｍ程度）であり、タッチペン本体２の先端部に設置されたペン先部材３は、φ３ｍｍ〜φ５ｍｍ程度（長さ２ｍｍ）の円柱の先端側にφ２ｍｍ〜φ３ｍｍ程度の半球を重ねたような形状を有している。そして、リング部材５の内径はφ１５ｍｍ〜φ２０ｍｍ程度（外径φ２０ｍｍ〜φ２５ｍｍ程度）であり、親指用リング部材５の内径、及び外径の方が、親指以外用リング部材６の内径、及び外径よりも若干大きくなっている。
【００２０】
本発明に係る入力用タッチペン１は、図１に記載したように、回動自在に固定された部分にマスコットキャラクター、あるいはキーホルダー等を取り付けることができる。さらに、このマスコットキャラクター、あるいはキーホルダー等は簡単に取り外すことが可能で、その時の気分に合わせて自由に色々なマスコットキャラクター、あるいはキーホルダー等を取り替えることも可能である。
【００２１】
＜入力用タッチペンの使用方法＞
図２は、入力用タッチペン１の使用方法を説明するための図である。本発明に係る入力用タッチペン１を使用する際は、親指を一対のタッチペン本体２の一方側にタッチペン本体２と略平行向きに設置された親指用リング部材５に挿入し、中指、及び薬指（中指、及び人差し指でも良い）を一対のタッチペン本体２の他方側にタッチペン本体２と略直角向きに設置された親指以外用リング部材６に挿入する。要するに、図２に記載したように、丁度箸を持つような形で、本発明に係る入力用タッチペン１を親指、中指、薬指で持つことになる。（尚、親指と、人差し指と、中指で持っても良いし、親指と人差し指、親指と中指、親指と薬指で持っても良い。）
【００２２】
使用者が、タップやタッチ、ドラッグ、フリックといった操作以外に、ピンチアウト（拡大）操作、及びピンチイン（縮小）操作をする際は、丁度箸を持つような形で、タッチペン本体２を親指、中指、薬指（又は人差し指）で保持しつつ、液晶画面にペン先部材３を接触させた状態で、親指、中指、薬指（又は人差し指）を使って、本発明に係る入力用タッチペン１のタッチペン本体２を開いたり（図１（ｂ）参照）、閉じたり（図１（ａ）参照）することにより行う。
【００２３】
＜入力用タッチペンの効果＞
本発明に係る入力用タッチペン１は、開閉自在に設置された一対のタッチペン本体２と、タッチペン本体２の先端に設置されたペン先部材３から構成されている。そして、一対のタッチペン本体２の其々にリング部材４を備えている。従って、タッチペン本体２に備えたリング部材４に各指を挿入して各指をタッチペン本体２に固定しつつ、各指を開いたり閉じたりすることで、ピンチアウト（拡大）操作、及びピンチイン（縮小）操作をすることができるため、ピンチアウト（拡大）操作、及びピンチイン（縮小）操作の際、画面の大きさを精度良く調整することができるようになった。
【００２４】
入力用タッチペン１のリング部材４は、一対のタッチペン本体２の一方側にタッチペン本体２と略平行向きに設置された親指用リング部材５が設置されており、一対のタッチペン本体２の他方側にタッチペン本体２と略直角向きに設置された親指以外用リング部材６が設置されている。従って、丁度（日本人が食事の時に殆ど毎日のように使用する）箸を持つような位置に親指、中指、薬指（又は人差し指）を固定することができるので、ピンチアウト（拡大）操作、及びピンチイン（縮小）操作をする際、より繊細な操作をすることで画面の大きさを（自由に）調整することができるようになった。
【００２５】
入力用タッチペン１のペン先部材３は、空洞を有する導電性ゴム７から構成されているので、導電性ゴム７自体が弾力を持っているため柔らかく、しかも、空洞を有しているため可撓性に富んでおり、液晶画面との接地面積を、タッチペン本体２の断面積と同じか、それよりも広くすることができる。ピンチアウト（拡大）操作、及びピンチイン（縮小）操作時において、液晶画面との接地面積が広いため、液晶画面の表面保護のためにフィルムを貼ったタブレット端末やスマートフォン等であっても操作に対する反応性が良いという効果を得られる。
【００２６】
＜入力用タッチペンの変更例＞
本発明に係る入力用タッチペン１は、上記した各実施形態の態様に何ら限定されるものではなく、タッチペン本体２、ペン先部材３、リング部材４、親指用リング部材５、親指以外用リング部材６、導電性ゴム７等の構成を、本発明の趣旨を逸脱しない範囲で、必要に応じて適宜変更することができる。
【００２７】
たとえば、一対のタッチペン本体２の代わりに、弾性を有する線材を略中央から折り曲げたタッチペン本体２としても良いし、弾性体を介して接続された一対のタッチペン本体２としても良い。さらに、ペン先部材３についても、タッチしている場所が丸見えになるように、導電性を有する透明な円盤としても良いし、導電性ゴム７と比べて、とても滑りが良い導電性を有する特殊な繊維を使った絵筆のようなものや、布のペン先であっても良い。また、ゴムと画面が触れ合う抵抗を減らすためにペン先部材３を細く、ペン先部材３に使用するゴムを薄くしても良い。本明細書においては、主に右利き用の入力用タッチペン１について説明してきたが、リング部材４の設置位置を左利きの人に合わせて設置することで左利き用とすることもできることは言うまでもない。
【産業上の利用可能性】
【００２８】
本発明に係る入力用タッチペンは、上記の如く優れた効果を奏するものであるので、タブレット端末やスマートフォン等の液晶画面に入力する際に使用する入力用タッチペンとして好適に用いることができる。
【符号の説明】
【００２９】
１・・入力用タッチペン
２・・タッチペン本体
３・・ペン先部材
４・・リング部材
５・・親指用リング部材
６・・親指以外用リング部材
７・・導電性ゴム
【図１】
2018032307.tif 000003
【図２】
2018032307.tif 000004